(57)【特許請求の範囲】
【請求項１】
防水下地の上に並べて配置された防水性を有する複数の断熱板と、
隣接する前記断熱板どうしの目地の全長にわたって密閉状態に設置された防水テープと、前記各断熱板の上に点在させて中央部をネジ部材で前記防水下地にそれぞれ固定された円板形状の複数の防水シート固定板と、
前記各防水シート固定板にわたって配置されて、その下面を前記各防水シート固定板に固定してある防水シートと、
前記ネジ部材の周りにおいて前記防水シート固定板と前記断熱板との間に設置され、前記ネジ部材の貫通部分を密閉状態にシールする弾性変形自在なシール材とを設けてあり、
前記防水シート固定板は、前記シール材の設置状態において、前記防水シート固定板の外周縁部が前記断熱板に対して直接に当接する状態に形成してある防水構造。
【請求項２】
前記シール材は、発泡ゴム体によって構成してあり、前記防水シート固定板と前記断熱板とによって挟圧されている請求項１に記載の防水構造。
【請求項３】
前記防水下地より立ち上がる建物立上部と前記断熱板との取り合い部には、その取り合い部全長にわたって密閉状態に防水テープを設置してある請求項１又は２に記載の防水構造。
【発明の詳細な説明】
【技術分野】
【０００１】
本発明は、防水下地の上に断熱板を敷き詰めて断熱層を形成し、その断熱層の上に防水シートを敷設して防水層を形成してある防水構造に関する。
【背景技術】
【０００２】
従来、この種の防水構造としては、防水下地の上に並べて配置された発泡樹脂製の複数の断熱板と、前記断熱板の目地での下方から上方への空気の流通を防ぐ密閉テープと、前記各断熱板の上に点在させてネジ部材で前記防水下地にそれぞれ固定された複数の防水シート固定板と、前記各防水シート固定板にわたって配置されて、その下面を前記各防水シート固定板に固定してある防水シートを設けてあるものがあった（例えば、特許文献１参照）。
【先行技術文献】
【特許文献】
【０００３】
【特許文献１】特開２００６−７７５０６号公報（図１，図２）
【発明の概要】
【発明が解決しようとする課題】
【０００４】
上述した従来の防水構造によれば、例えば、防水シートが損傷すると、防水シート上の水はその損傷部分を通して裏面側に回り、防水下地側への漏水を引き起こす危険性が高い。
即ち、防水性の低い断熱板を使用してある場合には、防水シートの裏面側に廻った水は、断熱板を通して下方の防水下地側へ漏水する。また、防水性を有する断熱板を使用していたとしても、防水シート固定板のネジ部材が断熱板を貫通しているから、ネジ部材周りが漏水経路となって防水下地側への漏水を引き起こす危険性が高い。
【０００５】
従って、本発明の目的は、上記問題点を解消し、防水シートが損傷しても、水が防水下地側へ漏水しにくい防水構造を提供するところにある。
【課題を解決するための手段】
【０００６】
本発明の第１の特徴構成は、防水下地の上に並べて配置された防水性を有する複数の断熱板と、隣接する前記断熱板どうしの目地の全長にわたって密閉状態に設置された防水テープと、前記各断熱板の上に点在させて中央部をネジ部材で前記防水下地にそれぞれ固定された円板形状の複数の防水シート固定板と、前記各防水シート固定板にわたって配置されて、その下面を前記各防水シート固定板に固定してある防水シートと、前記ネジ部材の周りにおいて前記防水シート固定板と前記断熱板との間に設置され、前記ネジ部材の貫通部分を密閉状態にシールする弾性変形自在なシール材とを設けてあり、前記防水シート固定板は、前記シール材の設置状態において、前記防水シート固定板の外周縁部が前記断熱板に対して直接に当接する状態に形成してあるところにある。
【０００７】
本発明の第１の特徴構成によれば、防水シートによる第１防水層に加えて、防水性を有する複数の断熱板と、それらの目地全長にわたって密閉状態に設置された防水テープとによる第２防水層が構成され、二重の防水層によって、より確実な防水を実現することができる。
また、断熱板を貫通するネジ部材の設置箇所については、前記ネジ部材の周りにおいて前記防水シート固定板と前記断熱板との間に設置され、前記ネジ部材の貫通部分を密閉状態にシールするシール材とを設けてあるから、ネジ部材の貫通部分に関しても防水性を維持することが可能となる。
【０００８】
本発明の第２の特徴構成は、前記シール材は、発泡ゴム体によって構成してあり、前記防水シート固定板と前記断熱板とによって挟圧されているところにある。
【０００９】
本発明の第２の特徴構成によれば、シール材が発泡ゴム体で構成してあるから、中実のシール材に比べてシール材の弾性変形能を高く、シート固定板と断熱板とで挟圧される際、少ない力で、弾性変形させることができる。また弾性変形能が高いことから、挟圧されるシート固定板や断熱板の形状にシール材が馴染みやすく、シール対象の隙間に満遍なく拡がって高いシール効果を発揮することができる。
【００１０】
本発明の第３の特徴構成は、前記防水下地より立ち上がる建物立上部と前記断熱板との取り合い部には、その取り合い部全長にわたって密閉状態に防水テープを設置してあるところにある。
【００１１】
本発明の第３の特徴構成によれば、断熱板と防水テープとによる第２防水層の縁部を、防水テープによって建物立上部と密閉状態に連結することで、より完璧な第２防水層を形成することができ、前記防水シートによる第１防水層と合わせた二重防水層の信頼性を、更に向上させることができる。
【図面の簡単な説明】
【００１２】
【図１】防水構造を示す説明斜視図
【図２】防水構造を示す断面図
【図３】防水構造を示す断面図
【発明を実施するための形態】
【００１３】
以下に本発明の実施の形態を図面に基づいて説明する。
【００１４】
図１〜図３は、本発明の防水構造を採用した屋根の一例を示すもので、コンクリートスラブ（防水下地に相当）１の上方に、複数の断熱板２を並設すると共に、その上を覆う状態に防水シート３を敷設して構成してある。尚、当該防水構造に関しては、新築工事や改修工事のいずれの場合にも適用することができる。
防水構造について更に詳しく説明すると、前記コンクリートスラブ１の上に並べて配置された防水性を有する複数の断熱板２と、隣接する前記断熱板２どうしの目地の全長にわたって密閉状態に設置された防水テープＭと、前記各断熱板２の上に点在させてネジ部材４で前記コンクリートスラブ１にそれぞれ固定された複数の防水シート固定板５と、前記各防水シート固定板５にわたって配置されて、その下面を前記各防水シート固定板５に固定してある防水シート３と、前記ネジ部材４の周りにおいて前記防水シート固定板５と前記断熱板２との間に設置され、前記ネジ部材４の貫通部分を密閉状態にシールするシール材６とを設けて屋根防水構造が構成されている。
【００１５】
防水下地となる前記コンクリートスラブ１は、現場打設によって形成されたコンクリートスラブに限らず、例えば、プレキャストコンクリートパネルや、その他のセメント二次製品によるパネルを敷設して構成してあるものや、例えば、折板や単なる平らな金属板や、所謂「デッキプレート」や、野地板、屋根構造部材等、防水の下地となるものであればよい。
【００１６】
前記断熱板２は、本実施形態においては防水性に加えて耐火性をも備えさせてあり、断熱本体部２ｂと、その表裏面を被う金属外皮部２ａとを一体に形成して構成してある（図２、図３参照）。
断熱板２は、細長い板形状に形成してあり、前記コンクリートスラブ１の上に順次並べて配置される（図１参照）。
また、前記断熱本体部２ｂは、例えば、イソシアネートのフォーム材で形成してあり、適度な強度と耐熱性と防水性とを備えている。無数の独立気泡が内在していることによって、高い防水性能と断熱性能とを発揮できるように構成してある。
前記金属外皮部２ａは、前記断熱本体部２ｂの外周面を包み込む状態に一体的に設けられている。この金属外皮部２ａは、具体例として、亜鉛メッキ鋼板の薄板材で構成してあり、高い防水性能と耐火性能とを発揮できるように構成してある。
【００１７】
前記防水シート３は、防水性を有する合成樹脂製シート（例えば、軟質塩化ビニル）によって構成してあり、敷設された前記断熱板２上に点在させて設置した防水シート固定板５を使用して固定される。尚、建物外周部でコンクリートスラブ１より立ち上がる建物立上部７においては、その建物立上部７に沿って防水シート３も立ち上げられて、コーキング処理等の端部防水処理を施される。
この防水シート３の一連によって、第１防水層Ｐ１が構成される。
【００１８】
前記防水テープＭは、防水性を有する合成樹脂製テープで構成してあり、前記断熱板２どうしの目地において両断熱板２にわたる状態で目地全長に貼着してあることで、目地の防水を図っている。具体的な構成の一例は、樹脂繊維の不織布層の表面に金属ラミネート層を一体に設け、裏面に接着層を備えたものが挙げられる。
尚、建物外周部の前記建物立上部７においては、建物立上部７と断熱板２との取り合い部全長にわたって、この防水テープＭを貼着して取り合い部の防水を図ってある。
従って、防水テープＭと断熱板２との一連によって、第２防水層Ｐ２が構成され、前記第１防水層Ｐ１とこの第２防水層Ｐ２とによって構成される二重防水層によって、より確実な防水構造を形作っている。
【００１９】
前記防水シート固定板５は、図１、図２に示すように、円板形状に形成してあり、薄い金属板を凹凸のある断面形状にプレス成形することで、軽量でありながら強度の高いものに構成されている。また、防水シート固定板５の中央部には、ネジ部材４を挿通するネジ挿通孔５ａが形成してあり、その周りには、ネジ部材４の拡径頭部４ａが納まる座繰り部５ｂが形成してある。従って、防水シート固定板５をネジ部材４でコンクリートスラブ１に固定した状態では、拡径頭部４ａが防水シート固定板５の上面より上方へ突出しないように構成されている。
また、防水シート固定板５の上面には、ホットメルト接着剤層５ｃを一体的に設けてあり、コンクリートスラブ１に固定した防水シート固定板５の上から防水シート２を被せた後、防水シート２越しに電磁誘導加熱装置を使用して防水シート固定板５を加熱し、その熱によって前記ホットメルト接着剤層５ｃを溶かして防水シート固定板５に防水シート２を接着することができる。
尚、建物立上部７と断熱板２との取り合い部に設置される防止シート固定板５は、薄い帯板を幅方向中間部で屈曲させた断面「Ｌ字」状に形成したもの（又は、帯板状のもの）を使用する（図１、図３参照）。
【００２０】
前記シール材６は、発泡ゴム体（例えば、ＥＰＤＭゴムの発泡体）によって構成してあり、前記防水シート固定板５より小径の円板形状に成形してある。
中央部には、前記ネジ部材４を挿通自在なネジ挿通孔６ａが設けられている。
前記防水シート固定板５をコンクリートスラブ１に固定する際に、両ネジ挿通孔５ａ，６ａが合致するように防水シート固定板５の裏面に沿わせてシール材６を配置する。ネジ部材４を両ネジ挿通孔５ａ，６ａに挿通させて断熱板２を貫通させてコンクリートスラブ１に螺着させると、シール材６は、ネジ部材４の周りにおいて前記防水シート固定板５と前記断熱板２とによって挟圧され弾性変形しながらネジ部材４周りの空間を埋め、前記ネジ部材４の貫通部分を密閉状態にシールすることができる。
従って、前記第２防水層は、ネジ部材４が貫通するものの、その貫通部分を前記シール材６によって密閉しているから、第２防水層としての防水性能を維持することができる（図２参照）。
尚、建物立上部７と断熱板２との取り合い部に設置されるＬ字状の防水シート固定板５に対応するシール材６は、その防水シート固定板５の底面と同形のものを使用する。
【００２１】
次に、防水手順について説明する。
［１］  コンクリートスラブ１上に断熱板２を敷き詰める。その際、断熱板２の目地、及び、断熱板２と建物立上部７との取り合いには、防水テープＭを貼着して第２防水層Ｐ２を形成する。
［２］  断熱板２の上に、横間隔をあけて防水シート固定板５を配置してネジ部材４によってコンクリートスラブ１に固定する。防水シート固定板５の配置にあたっては、裏面側に前記シール材６を沿わせて配置しておき、ネジ部材４の締め付けに伴ってシール材６を挟圧してネジ周りの密閉を図る。
［３］  防水シート３を敷き詰めて、上方から電磁誘導加熱装置を使用して防水シート固定板５を加熱し、その熱によって前記ホットメルト接着剤層５ｃを溶かして防水シート固定板５に防水シート２を接着することで第１防水層Ｐ１を形成する。
【００２２】
本実施形態の防水構造によれば、防水シートによる第１防水層と、断熱板と防水テープとによる第２防水層との二重の防水層によって、より確実な防水を実現することができる。また、弾性変形能の高い発泡ゴム体によるシール材をネジ部材の周りに設置することで、高いシール効果を発揮して、ネジ部材の貫通部分の防水性をも維持することが可能となる。
【００２３】
〔別実施形態〕
以下に他の実施の形態を説明する。
【００２４】
〈１〉  前記防水下地は、先の実施形態で説明したコンクリートスラブ１に限るものではなく、例えば、折板やデッキプレートや、野地板や、ＡＬＣ板等であってもよく、その形式や材質は特に限定されるものではない。
〈２〉  前記防水シート３は、先の実施形態で説明した合成樹脂製防水シートに限るものではなく、例えば、合成ゴム製シートやアスファルトシート等の防水シート、又は、それらの積層体等であってもよく、それらを含めて防水シートと総称する。
また、防水シートに、ガラス繊維やポリエステル繊維等の繊維性基材を、層状又は全体に混入させてあってもよく、補強効果と共に寸法安定効果等を発揮させることも可能である。
〈３〉  前記断熱板２は、先の実施形態で説明したように断熱本体部２ｂと金属外皮部２ａとからなるものに限らず、他の構成を採用することができるものであり、要するに、防水性を有するものであればよい。
また、形状的には、先の実施形態で説明したように隣接する端面部どうしを単純に突き合わせるだけの構成に限るものではなく、例えば、断熱板２の端面部に、隣接する断熱板２と嵌合できるように構成してあってもよい。
〈４〉  前記防水テープは、先の実施形態で説明したように、断熱板２の表面に貼着する事に限らず、表裏両面、又は、裏面のみに貼着するものであってもよい。
【００２５】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２６】
１      コンクリートスラブ（防水下地に相当）
２      断熱板
３      防水シート
４      ネジ部材
５      防水シート固定板
６      シール材
７      建物立上部
Ｍ      防水テープ
【図１】
0005600856.tif 000002
【図２】
0005600856.tif 000003
【図３】
0005600856.tif 000004